(57)【要約】      （修正有）【課題】振動があっても焼物の像が破損することを防止できる台座付きの焼物の像を提供する。【解決手段】台座１０と台座１０上に配置される中空の焼物の像（人形１２、１３）とを含む台座付きの焼物の像であって、台座１０に立てられる棒１１をさらに含む。人形１２、１３の底部１２ｂ、１３ｂには、中空の内部にまで貫通している貫通孔１２ｈ、１３ｈが形成されている。棒１１は、貫通孔１２ｈ、１３ｈに挿し込まれる。棒１１のうち台座１０から突出する部分の高さＨと貫通孔１２ｈ、１３ｈの長さＬとが、０．５Ｌ≦Ｈの関係を満たす。【選択図】図２
0003197078.tif 000002
【実用新案登録請求の範囲】
【請求項１】
台座と、前記台座上に配置される中空の焼物の像とを含む台座付きの焼物の像であって、
前記台座に立てられる棒をさらに含み、
前記焼物の像の底部には、中空の内部にまで貫通している貫通孔が形成されており、
前記棒が前記貫通孔に挿し込まれ、
前記棒のうち前記台座から突出する部分の高さＨと前記貫通孔の長さＬとが、０．５Ｌ≦Ｈの関係を満たす、台座付きの焼物の像。
【請求項２】
前記高さＨと前記長さＬとが、１．５Ｌ≦Ｈの関係を満たす、請求項１に記載の台座付きの焼物の像。
【請求項３】
前記棒のうち前記台座から突出する部分が円柱状の棒であり、
前記貫通孔は断面が円状の貫通孔であり、
前記貫通孔の断面の直径が、前記円柱状の棒の直径よりも０．１ｍｍ以上大きい、請求項１または２に記載の台座付きの焼物の像。
【請求項４】
前記台座の質量が、前記像の質量の０．３倍以上５０倍以下である、請求項１〜３のいずれか１項に記載の台座付きの焼物の像。
【請求項５】
前記焼物の像が素焼きの像である請求項１〜４のいずれか１項に記載の台座付きの焼物の像。
【考案の詳細な説明】
【技術分野】
【０００１】
本考案は、台座付きの焼物の像に関する。
【背景技術】
【０００２】
陶器製の花瓶や素焼きの人形など、焼物である置物は、地震などの衝撃によって倒れた際に、破損する恐れが高い。そのため、従来から、地震などの衝撃を受けても置物が倒れないような装置が提案されてきた（たとえば特許文献１）。特許文献１では、吸盤を用いて置物を固定する装置が提案されている。
【先行技術文献】
【特許文献】
【０００３】
【特許文献１】特開平１１−２３３号公報
【考案の開示】
【考案が解決しようとする課題】
【０００４】
しかし、吸盤で固定できるものは、底面が平滑なものに限られる。また、吸盤による固定は長期的な信頼性が低い。したがって、吸盤による固定は、素焼きの人形などの固定には向かない。
【０００５】
このような状況を考慮し、本考案は、振動があっても焼物の像が破損することを防止できる台座付きの焼物の像を提供することを目的とする。
【課題を解決するための手段】
【０００６】
上記目的を達成するため、本考案は、台座と、前記台座上に配置される中空の焼物の像とを含む台座付きの焼物の像であって、前記台座に立てられる棒をさらに含み、前記焼物の像の底部には、中空の内部にまで貫通している貫通孔が形成されており、前記棒が前記貫通孔に挿し込まれ、前記棒のうち前記台座から突出する部分の高さＨと前記貫通孔の長さＬとが、０．５Ｌ≦Ｈの関係を満たす。
【考案の効果】
【０００７】
本考案の台座付きの焼物の像では、台座に固定された棒が、焼物の像（人形等）の底部の貫通孔に挿し込まれている。この棒によって、台座付きの焼物の像に振動が与えられて焼物の像が傾いたときでも焼物の像が倒れることが抑制される。本考案の台座付きの焼物の像は、底部に貫通孔が形成されているだけであり、台座に対して着脱自在とすることが可能である。台座に対して像を着脱自在とすることによって、必要に応じて台座以外の場所に像を飾ったり、像を台座からはずして収納したりすることが可能である。
【図面の簡単な説明】
【０００８】
【図１】本考案で用いられる台座および棒の一例を示す図である。
【図２】本考案の台座付きの焼物の像の一例の断面図である。
【図３】本考案の台座付きの焼物の像の一例の底面図である。
【図４】本考案の台座付きの焼物の像の一例の他の断面図である。
【図５】本考案について説明するための模式図である。
【図６】本考案の台座付きの焼物の像の一例の斜視図である。
【考案を実施するための形態】
【０００９】
以下、本考案の実施形態について例を挙げて説明する。なお、以下では例を挙げて本考案を説明するが、本考案は以下の例に限定されない。
【００１０】
本考案の台座付きの焼物の像は、台座と、台座上に配置される中空の焼物の像と、台座に立てられる棒とを含む。その焼物の像の底部には、中空の内部にまで貫通している貫通孔が形成されている。そして、台座に立てられた上記棒が焼物の像の底部の貫通孔に挿し込まれる。典型的な一例では、台座に立てられた棒が、焼物の像の底部の貫通孔を通って焼物の像の内部の中空部に挿し込まれる。
【００１１】
棒のうち台座から突出する部分の高さＨと貫通孔の長さＬとは、０．５Ｌ≦Ｈの関係を満たす。すなわち、棒のうち台座から突出する部分の高さＨは、貫通孔の長さの半分以上である。このようにすることによって、貫通孔の半分以上に棒が挿し込まれることになり、像を特に安定させることができる。高さＨと長さＬとは、１．５Ｌ≦Ｈの関係を満たしてもよい。この構成によれば、像をさらに安定させることができる。高さＨは、長さＬの１倍以上や２倍以上や１０倍以上であってもよく、１００倍以下や５０倍以下や２０倍以下であってもよい。高さＨは、長さＬの１〜１００倍以下の範囲（たとえば１〜２０倍の範囲や２〜２０倍の範囲）にあってもよい。
【００１２】
台座および棒の材質に特に限定はなく、木や樹脂やプラスチックなどで形成できる。棒は、焼物の像を支えることができる限りどのような形状であってもよく、たとえば１本の円柱状であってもよいし、１本の角柱状であってもよいし、大きさや形が異なる円柱や角柱が接続された形状であってもよい。
【００１３】
台座の形状は、焼物の像が倒れることを抑制できる限り、どのような形状であってもよく、たとえば板状であってもよい。板状の台座の平面形状は、たとえば、四角形、円形、楕円形、半円形、半楕円形、またはこれらを組み合わせた形状である。棒を立てることができる限り、台座の厚さに限定はなく、たとえば５ｍｍ〜５０ｍｍの範囲としてもよい。
【００１４】
台座に形成される孔は、台座を貫通する貫通孔であってもよいし、台座を貫通しない孔（凹部）であってもよい。焼物の像は、台座上に配置される。すなわち、焼物の像の底面が台座上に配置されている。
【００１５】
焼物の像の高さは、たとえば７０ｃｍ以下や５０ｃｍ以下であり、典型的には３０ｃｍ以下である。焼物の像の質量は、たとえば２０ｋｇ以下や１０ｋｇ以下や５ｋｇ以下であり、典型的には２ｋｇ以下や１ｋｇ以下や５００ｇ以下である。
【００１６】
焼物の像は、素焼きの像であってもよいし、素焼きのものに釉薬を施してさらに焼成した陶磁器の像であってもよい。素焼きのものは特に破損しやすいため、本考案が好ましく用いられる。この明細書で「焼物」は、広義の陶磁器を含む。
【００１７】
焼物の像は、人を模した人形または干支の像であってもよい。人を模した人形には、雛人形や、五月人形や、童話や神話上の登場者を模した人形が含まれる。また、焼物の像は、干支以外の動物を模したものであってもよい。
【００１８】
台座には、台座に立てられる棒の一部が差し込まれる孔が形成されていてもよい。そして、その棒は、焼物の像の中空部に挿し込まれる第１の部分と、台座の孔に挿し込まれる第２の部分とを含み、第２の部分の断面積が焼物の像の底部の貫通孔の断面積よりも大きくてもよい（断面積とは、棒の軸に垂直な断面の面積をいう）。たとえば、棒の第２の部分および焼物の像の底部の貫通孔が共に円柱状である場合、棒の第２の部分の直径は貫通孔の直径よりも大きい。このような構成によれば、棒の全体が焼物の像の内部に入ってしまうことを防止できる。なお、棒の一部に円盤状のストッパをつけて棒が焼物の像の内部に入ることを防止してもよい。
【００１９】
また、台座には、台座に立てられる棒の一部が差し込まれる孔が形成されており、台座に形成される孔は、棒の一部が差し込まれる第１の孔部と、第１の孔部よりも断面積が小さい第２の孔部とを含む貫通孔であってもよい（断面積とは、棒の軸に垂直な断面の面積である）。
【００２０】
台座に立てられる棒は、台座に接着されていてもよいし、台座に対して自由に着脱できるものであってもよい。棒を着脱自在とすることによって、必要なときだけ棒を立てて焼物の像が倒れることを防止できる。また、台座に立てられる棒は、動かないように台座にしっかりと固定されてもよい。また、棒は、棒が倒れることがない程度に多少動くように台座に緩く固定されてもよい。ここで、緩く固定されているとは、力を加えることによって多少動かすことができることをいう。棒が台座に緩く固定されている場合、台座に振動が加えられたときに焼物の像が傾くとともに棒も動くため、棒が焼物の像を支える際に焼物の像に与える衝撃を弱めることができる。棒を台座に緩く固定するためには、たとえば、棒のうち、台座の円柱状の孔に挿し込まれる円柱状の部分の直径を、台座の孔の直径よりも多少小さくすればよい。また、棒のうち台座の孔に挿し込まれる部分の少なくとも一部を弾性体（樹脂やゴム）としたり、棒全体を弾性体としたりしてもよい。
【００２１】
焼物の像の底部に形成された貫通孔の周囲には、貫通孔の周囲を補強するための補強部材が配置されていてもよい。補強部材は、たとえば、樹脂や接着剤を塗布して硬化させることによって形成してもよいし、和紙などのシートを貼り付けることによって形成してもよい。
【００２２】
焼物の像は、棒によって固定されていなくてもよい。すなわち、通常の状態では棒によって焼物の像に力が加えられておらず、焼物の像が倒れたときに初めて棒によって焼物の像が支えられるような構造であってもよい。このようにするためには、焼物の像の底部に形成される貫通孔の大きさを、貫通孔に挿し込まれる棒の断面よりも大きくすればよい。焼物の像が動かないように焼物の像の所定の部分を棒によって固定すると、振動が加えられた場合に固定された部分に応力が集中する。特に、焼物の像の底部を固定した場合には、焼物の像の振動によって生じる力が底部に集中するため、棒によって固定された焼物の像の底部が破損する場合がある。これは、特に素焼きなど、比較的もろい焼物の像の場合に問題となることがある。棒によって焼物の像の底部が固定されていない場合、振動が加えられて焼物の像が倒れそうになったときでも、棒の先端部において比較的弱い力で焼物の像を支えることができるため、焼物の像の一部が破損することを抑制できる。
【００２３】
ただし、焼物の像の破損を抑制できる限り、焼物の像が棒によって固定されていてもよい。この場合には、焼物の像の底部を他の部分よりも厚くしたり、底部の貫通孔の周囲にその部分を補強するための補強部材を配置したりすることが好ましい。
【００２４】
焼物の像が倒れようとしたときに焼物の像を支えるのに必要な力は、通常、焼物の像を支える部分が台座から離れているほど小さくなる。焼物の像が倒れようとしたときに焼物の像を支えるのは、通常、棒の先端部分であるため、通常、台座から棒の先端部分までの距離が長いことが好ましい。たとえば、棒のうち台座から突出している部分の長さが、焼物の像の高さの半分以上であることが好ましい。ただし、焼物の像の破損を抑制して支えることができる限り、棒が突出している部分の長さは焼物の像の高さの半分未満であってもよい。
【００２５】
焼物の像の底部は、焼物の像の他の部分よりも厚くてもよい。焼物の像の底部を厚くすることによって、焼物の像が倒れそうになって焼物の像の底部の貫通孔の周辺に力が加わったときでも、貫通孔の周辺が破損することを防止できる。たとえば、高さが３０ｃｍ以下の像の場合、底部の厚さを５〜７ｍｍ程度とし、底部以外の厚さ２〜４ｍｍ程度としてもよい。
【００２６】
台座は、台座自体が傾いて焼物の像が倒れることを防止するため、接地領域の面積が広いことが好ましい。ここで、「接地領域」とは、物体の接地点（物体が平面におかれたときにその平面と物体とが接触する点）を、その面積（領域の面積）が最大となるように選び出して結び、それによって囲まれる領域を意味する。たとえば、台座の底面が平面である場合、台座の底面の面積（台座の底面の外縁部で囲まれた面積）が台座の接地領域の面積となる。また、台座の底面に４つの突起が長方形の角の位置に形成されており、台座がその４点で接地する場合には、その４点を結んだ長方形の面積が接地領域の面積となる。通常、台座の接地領域の面積は、焼物の像の接地領域の面積（像が複数ある場合にはそれぞれの像について接地領域を画定し、それらを合計した面積）より大きく、たとえばその３倍以上や５倍以上である。また、通常、上方から見たときに、焼物の像の接地領域は台座の接地領域内に配置される。台座の接地領域の面積に上限は特にないが、たとえば、焼物の像の接地領域の面積の３０倍以下や１００倍以下である。
【００２７】
ただし、台座の底面に複数の小さな突起を設けてその突起部で接地する場合、接地領域の面積が小さくても、台座が傾いたときに台座の外縁部で台座を支えることができるため、接地領域の面積が小さくてもよい場合がある。
【００２８】
本考案の台座付きの焼物の像の一例では、棒のうち台座から突出している部分の長さが、焼物の像の高さの半分以上であり、且つ、台座の接地領域の面積が、焼物の像の接地領域の面積（像が複数ある場合にはそれぞれの像について接地領域を画定し、それらを合計した面積）の３倍以上であり、且つ、上方から見たときに焼物の像の接地領域が台座の接地領域内に配置されている。
【００２９】
焼物の像は、台座の中央部に配置した方が振動に対して倒れにくくなる。好ましい一例では、上方から見たときの台座の接地領域の外縁部とその内側に配置された焼物の像の接地領域の外縁部との距離（投影された距離）が、焼物の像の高さの０．１倍以上であり、たとえば０．２倍以上や０．３倍以上である（像が複数の場合には、それぞれの像について個別に適用される）。たとえば、高さ２０ｃｍの像の場合、台座の接地領域の外縁部とその内側に配置された焼物の像の接地領域の外縁部との距離は、２ｃｍ以上や４ｃｍ以上や６ｃｍ以上であってもよい。ただし、台座が重くて且つ台座の接地領域の面積が広い場合、焼物の像を台座の外縁部近傍に配置しても本考案の効果は得られる。また、台座自体を何らかの方法（たとえば吸盤）で固定した場合も同様である。
【００３０】
また、本考案の一例では、台座が板状であり、上方から見たときの台座の底面の外縁部とその内側に配置された焼物の像の底面（ここでは、像と台座とが接触する面である）との最短距離が、焼物の像の高さの０．１倍以上である。
【００３１】
本考案の一例では、棒のうち台座から突出する部分が円柱状の棒であり、像に形成された貫通孔が、断面が円状の貫通孔である。この場合、貫通孔の断面の直径Ｄが、円柱状の棒の直径ｄよりも０．１ｍｍ以上（たとえば０．５ｍｍ以上）大きくてもよい。この構成によれば、台座に対して像を容易に着脱できる。貫通孔の断面の直径Ｄ（ｍｍ）と棒の直径ｄ（ｍｍ）とは、０．１＋ｄ≦Ｄ≦５＋ｄの関係を満たしてもよく、０．５＋ｄ≦Ｄ≦５＋ｄの関係を満たしてもよい。
【００３２】
上記のすべてのバリエーションにおいて、焼物の像の質量に対して台座の質量が重いほど、振動に対して像が倒れにくくなる。たとえば、台座の質量が焼物の像の質量に対して充分に重ければ、台座の接地領域の面積が比較的小さくても台座が傾くことを防止できる。台座の質量は、たとえば、焼物の像の質量の０．２倍以上や０．５倍以上や１倍以上や５倍以上や１０倍以上であってもよい。一例では、台座の質量が、焼物の像の質量の０．３倍以上５０倍以下である。
【００３３】
この考案は、振動によって倒れやすい焼物の像に適している。そのような像の一例は、その像の接地領域の短軸（接地領域の重心点を通る最も短い軸）の長さが、像の高さの０．５倍以下である像である。また、焼物の像の高さをｈとしたときに、その像の接地領域が直径０．５ｈの円よりも小さい像も該当する。
【００３４】
［台座付きの焼物の像の一例］
本考案の台座付きの焼物の像の一例について、図１〜５を参照しながら説明する。なお、以下では、２体の人形が台座上に配置されている例を示すが、台座上に飾られる焼物の像は、１体であってもよいし、３体以上であってもよい。また、以下の例では、１体の焼物の像に用いられる棒は１本であるが、焼物の像の大きさに応じて１体の焼物の像に２本以上の棒を用いてもよい。
【００３５】
図１（ａ）に台座１０の上面図を示し、図１（ｂ）に図１（ａ）の線Ｉｂ−Ｉｂにおける断面図を示す。図１（ｃ）に、棒１１が台座１０に立てられた状態の断面図を示す。図１（ｄ）に、棒１１の断面図を示す。
【００３６】
板状の台座１０には、台座１０に固定される棒１１の数だけ円柱状の孔１０ｈが形成されている。孔１０ｈは、図１に示すように、直径が異なる２つの円柱が連結された構造、具体的には、円柱状の孔１０ｈａと円柱状の孔１０ｈｂとが連結された構造である。孔１０ｈは、台座１０を貫通する貫通孔である。
【００３７】
棒１１は、図１（ｄ）に示すように、人形の中空部に挿し込まれる円柱状の第１の部分１１ａと、台座１０に固定される円柱状の第２の部分１１ｂとを含む。第２の部分１１ｂの直径は、第１の部分１１ａの直径よりも大きくなっている。第２の部分１１ｂの直径は人形に形成される貫通孔よりも大きく、第１の部分１１ａの直径は人形に形成される貫通孔よりも小さい。このため、棒１１の全体が人形内部に入ってしまうことを防止できる。また、人形は、台座１０および棒１１に対して自由に着脱できる。
【００３８】
上方の孔１０ｈａの直径は、棒１１の第２の部分１１ｂを挿し込んだときに緩くまたはしっかり固定できるように、第２の部分１１ｂの直径よりもわずかに大きいか、ほぼ同じである。一方、下方の孔１０ｈｂの直径は、第２の部分１１ｂの直径よりも小さい。このような構造とすることによって、孔１０ｈに挿し込まれた棒１１が、孔１０ｈａの底面で停止して台座１０に立てられる。一方、棒１１を挿し込んだときに孔１０ｈｂから孔１０ｈ内の空気が逃げるため、棒１１の挿し込みが容易である。
【００３９】
台座１０に人形１２および１３が配置されている、台座付き焼物の像２０の断面図を図２に示す。また、人形１２の底面図を図３（ａ）に示し、人形１３の底面図を図３（ｂ）に示す。また、図２の状態における人形の腰の部分での断面図を図４に示す。
【００４０】
人形１２および１３は、中空の人形である。人形１２の底部１２ｂには、中空部１２ｃにまで貫通している貫通孔１２ｈが形成されている。人形１３の底部１３ｂには、中空部１３ｃにまで貫通している貫通孔１３ｈが形成されている。人形の底面および台座の底面は、ともに平面である。台座１０の底面１０ａの面積は、人形１２の底面の面積（図３（ａ）の底部１２ｂの面積であり孔の部分を含む）および人形１３の底面の面積（図３（ｂ）の底部１３ｂの面積であり孔の部分を含む）の合計の３倍以上である。
【００４１】
棒１１のうち台座１０から突出する部分の高さＨと、人形１２の底部１２ｂに形成される貫通孔１２ｈの長さＬとの関係を図５に模式的に示す。図１に示した例では、高さＨは、棒１１のうちの第１の部分１１ａの長さに等しい。本考案では、高さＨと長さＬとが、０．５Ｌ≦Ｈの関係を満たす。
【００４２】
人形の底部には、シートが貼られていてもよい。底部にシートを貼ることによって、人形の底部や貫通孔の周囲を補強できるとともに、台座に傷がつくことを防止できる。シートには、たとえば、和紙や織布や不織布を用いることができる。
【００４３】
人形１２の貫通孔１２ｈおよび人形１３の貫通孔１３ｈのそれぞれには、台座１０に立てられた棒１１が挿し込まれる。棒１１のうち台座１０から突出している部分の長さは、それによって保護される人形の高さの半分以上である。人形１２および１３が台座１０上に配置された状態の台座付きの焼物の像２０の斜視図を図６に示す。
【００４４】
台座、台座に立てられる棒、および焼物の像は、一般的な方法で作製できる。焼物である人形の作製方法の一例を以下に説明する。まず、粘土で原形を作製する。この粘土原形の周囲を石膏で固めたのち、粘土原形を取り出して石膏型を作製する。通常、石膏型は組み立て可能なように複数に分離される。
【００４５】
分離された複数の石膏型の型表面（粘土原形を型取った内面）に粘土を貼り付けたのち、石膏型を組み立て、次に石膏型を除去することによって、粘土原形と同じ形の、生粘土（乾燥・焼成前の粘土）の人形を作製できる。このとき、底部となる部分を厚くすることによって、底部が厚い焼物の像を得ることができる。また、この方法では、底部の貫通孔となる部分を、粘土を石膏型に貼り付ける段階で形成してもよい。
【００４６】
また、粘土を水で溶かしたものを石膏型に流し込むことによって、粘土原形と同じ形の生粘土の人形を作製してもよい。粘土を水に溶かした粘土液を石膏型に流し込んでおくと、水分が石膏型に吸われて石膏型の内面に粘土層が形成される。粘土層が形成されたのち、余分な粘土液を除去し、次に石膏型を除去することによって、粘土原形と同じ形の、生粘土の人形を作製できる。
【００４７】
次に、作製された生粘土の人形を、乾燥させ焼成する。このようにして、素焼きの人形が作製される。底部の貫通孔は、石膏型を加工して形成してもよいし、生粘土の人形を乾燥する前に形成してもよいし、生粘土の人形を乾燥した後に形成してもよいし、生粘土の人形を焼成したのちに形成してもよい。生粘土の人形を乾燥させたのち焼成する前の状態は、適度な強度を有するため、ドリル等で簡単に貫通孔をあけることができる。
【００４８】
このようにして作製された素焼きの人形は、必要に応じて彩色が施される。また、素焼きの人形に釉薬を施して高温で焼成してもよい。このようにして焼物の像が作製される。なお、人を模した人形でも動物等を模した人形でも、同様の方法で作製できる。
【産業上の利用可能性】
【００４９】
本考案は、台座付きの焼物の像に適用され、たとえば、雛人形、五月人形、干支の像といった、台座付きの焼物の像に適用される。
【符号の説明】
【００５０】
１０  台座
１０ａ  底面
１０ｈ、１０ｈａ、１０ｈｂ  孔
１１  棒
１１ａ  第１の部分
１１ｂ  第２の部分
１２、１３  人形
１２ｂ、１３ｂ  底部
１２ｃ、１３ｃ  中空部
１２ｈ、１３ｈ  貫通孔
２０  台座付きの焼物の像
【図１】
0003197078.tif 000003
【図２】
0003197078.tif 000004
【図３】
0003197078.tif 000005
【図４】
0003197078.tif 000006
【図５】
0003197078.tif 000007
【図６】
0003197078.tif 000008